(57)【要約】【課題】スクリーン上の投影画像の表示位置調整を完成品の状態で容易に実施できるリアプロジェクタを提供する。【解決手段】リアプロジェクタ１は、反射ミラー５の反射面上において画像投射装置３から拡大投射される画像光Ｌの光路中心Ｏと交差する光路中心点を通る水平軸を中心として反射ミラー５を回転可能に軸支する軸支部７Ａと、外装筺体２に形成される第１の開口部を介して一部が露出して外装筺体２外部から操作可能に構成され、水平軸を中心として反射ミラー５を回転調整可能とする第１の調整操作部８と、軸支部７Ａに接続し、外装筺体２に形成される第２の開口部を介して一部が露出して外装筺体２外部から操作可能に構成され、反射ミラー５の反射面に直交する方向に軸支部７Ａを位置調整可能とする第２の調整操作部９とを備える。【選択図】図１
2008129271.tif 000002
【特許請求の範囲】
【請求項１】
光源から射出された光束を画像情報に応じて変調して画像光を形成し拡大投射する画像投射装置と、前記画像投射装置を収納する箱形状を有する外装筺体と、前記外装筺体の箱状側面のいずれかに露出して設けられ前記画像投射装置から拡大投射された画像光を投影するスクリーンとを備えたリアプロジェクタであって、
前記画像投射装置から拡大投射された画像光の光路中に配置され、前記画像光を反射して前記スクリーンに導く反射ミラーと、
前記反射ミラーの反射面上において前記画像投射装置から拡大投射される画像光の光路中心と交差する光路中心点を通る水平軸を中心として前記反射ミラーを回転可能に軸支する軸支部と、
前記外装筺体における前記反射ミラーの配置位置に対応した位置に形成される第１の開口部を介して一部が露出して前記外装筺体外部から操作可能に構成され、前記水平軸を中心として前記反射ミラーを回転調整可能とする第１の調整操作部と、
前記軸支部に接続し、前記外装筺体における前記軸支部の配置位置に対応した位置に形成される第２の開口部を介して一部が露出して前記外装筺体外部から操作可能に構成され、前記反射ミラーの反射面に直交する方向に前記軸支部を位置調整可能とする第２の調整操作部とを備えていることを特徴とするリアプロジェクタ。
【請求項２】
請求項１に記載のリアプロジェクタにおいて、
前記反射ミラーは、
前記画像光を反射して前記スクリーンに導くミラー本体と、
前記ミラー本体の外縁部の少なくとも一部に沿う枠形状を有し、前記外縁部を前面側および背面側から挟持する補強部材とを備えていることを特徴とするリアプロジェクタ。
【請求項３】
請求項１または請求項２に記載のリアプロジェクタにおいて、
前記第１の調整操作部は、
前記第１の開口部を介して前記外装筺体内外に進退自在とし、前記外装筺体内部に位置する一端側が前記反射ミラーに当接して前記水平軸を中心として前記反射ミラーを所定方向に回転調整可能とする操作部本体と、
前記反射ミラーおよび前記外装筺体の間に配設され、前記水平軸を中心として前記反射ミラーを前記所定方向と反対方向に付勢する付勢部材とを備えていることを特徴とするリアプロジェクタ。
【請求項４】
請求項１から請求項３のいずれかに記載のリアプロジェクタにおいて、
前記外装筺体には、前記第１の開口部および前記第２の開口部のうち少なくともいずれかの開口部を閉塞可能とし、前記外装筺体に対して着脱自在とするカバー部材が取り付けられていることを特徴とするリアプロジェクタ。
【発明の詳細な説明】
【技術分野】
【０００１】
本発明は、リアプロジェクタに関する。
【背景技術】
【０００２】
従来、大型画面を有する表示装置として、スクリーン上に画像光を拡大投射して表示するリアプロジェクタが知られている（例えば、特許文献１参照）。
特許文献１に記載のリアプロジェクタは、光源から射出された光束を画像情報に応じて変調して画像光を形成し拡大投射する投射光学系（画像投射装置）と、画像投射装置を収納する外装筺体と、外装筺体の前面に設置され画像投射装置から拡大投射された画像光を投影するスクリーンと、画像投射装置から拡大投射された画像光の光路を変換し、スクリーンの背面に導く反射ミラーとを備えている。
このようなリアプロジェクタでは、各構成部材（画像投射装置、反射ミラー、スクリーン等）の相対位置を調整し、スクリーン上の投影画像の位置を調整する必要がある。そして、特許文献１に記載のリアプロジェクタでは、画像投射装置が載置固定されるベース手段に調整機構を設け、調整機構により画像投射装置の姿勢を変更して画像投射装置の投射方向を調整する構造が採用されている。
【０００３】
【特許文献１】特開２００２−１０７６６３号公報
【発明の開示】
【発明が解決しようとする課題】
【０００４】
ところで、組み立てられた完成品の状態であるリアプロジェクタは、外力や設置される環境（温度、設置する設置面の形状）等の二次的要因によって、当該リアプロジェクタの各構成部材（画像投射装置、外装筺体、スクリーン、反射ミラー等）の相対位置が組み立て工程時に調整された相対位置から変化する恐れがある。すなわち、リアプロジェクタは、完成品の状態において、上述した二次的要因によって、各構成部材の相対位置が変化し、スクリーン上の投影画像の表示位置が組み立て工程時に調整された表示位置からずれる恐れがある。
しかしながら、特許文献１に記載のリアプロジェクタでは、スクリーン上の投影画像の表示位置調整を当該リアプロジェクタの組み立て工程時において実施する構造を想定し、外装筺体内部に調整機構を設け、該調整機構により画像投射装置の投射方向を調整している。すなわち、特許文献１に記載のリアプロジェクタでは、外装筺体内部に配設される調整機構により画像投射装置の投射方向を調整する構造を採用しているため、完成品の状態でスクリーン上の投影画像の表示位置調整を実施することが難しい。
【０００５】
本発明の目的は、スクリーン上の投影画像の表示位置調整を完成品の状態で容易に実施できるリアプロジェクタを提供することにある。
【課題を解決するための手段】
【０００６】
本発明のリアプロジェクタは、光源から射出された光束を画像情報に応じて変調して画像光を形成し拡大投射する画像投射装置と、前記画像投射装置を収納する箱形状を有する外装筺体と、前記外装筺体の箱状側面のいずれかに露出して設けられ前記画像投射装置から拡大投射された画像光を投影するスクリーンとを備えたリアプロジェクタであって、前記画像投射装置から拡大投射された画像光の光路中に配置され、前記画像光を反射して前記スクリーンに導く反射ミラーと、前記反射ミラーの反射面上において前記画像投射装置から拡大投射される画像光の光路中心と交差する光路中心点を通る水平軸を中心として前記反射ミラーを回転可能に軸支する軸支部と、前記外装筺体における前記反射ミラーの配置位置に対応した位置に形成される第１の開口部を介して一部が露出して前記外装筺体外部から操作可能に構成され、前記水平軸を中心として前記反射ミラーを回転調整可能とする第１の調整操作部と、前記軸支部に接続し、前記外装筺体における前記軸支部の配置位置に対応した位置に形成される第２の開口部を介して一部が露出して前記外装筺体外部から操作可能に構成され、前記反射ミラーの反射面に直交する方向に前記軸支部の位置調整を可能とする第２の調整操作部とを備えていることを特徴とする。
【０００７】
本発明によれば、リアプロジェクタは、画像投射装置、外装筺体、スクリーン、および反射ミラーの他、軸支部と、第１の調整操作部と、第２の調整操作部とを備えているので、以下に示すように、スクリーン上の投影画像の表示位置調整を完成品の状態で容易に実施できる。
すなわち、軸支部は、所定の水平軸を中心として反射ミラーを回転可能に軸支する。ここで、前記水平軸は、反射ミラーの反射面上において、画像投射装置から拡大投射された画像光の光路中心に交差する光路中心点を通り、水平方向に延びる軸を意味する。また、光路中心とは、画像投射装置から拡大投射された画像光において、スクリーン上に投影される投影画像の中心付近を辿る光路を意味する。
そして、第１の調整操作部は、外装筺体に形成された第１の開口部を介して一部が露出して外装筺体外部から操作可能に構成され、外装筺体外部から操作されることで、前記水平軸を中心として反射ミラーを回転調整可能とする。すなわち、前記水平軸を中心として反射ミラーを回転調整することで、スクリーン上の投影画像の位置を上下方向に調整可能とする。
【０００８】
また、第２の調整操作部は、軸支部に接続し、外装筺体に形成された第２の開口部を介して一部が露出して外装筺体外部から操作可能に構成され、外装筺体外部から操作されることで、反射ミラーの反射面に直交する方向に軸支部を位置調整可能とする。例えば、前記水平軸上において、一端側および他端側にそれぞれ軸支部を設けるとともに、各軸支部に対応してそれぞれ第２の調整操作部を設け、いずれか一方の第２の調整操作部にていずれか一方の軸支部を位置調整することで、前記一方の軸支部とともに反射ミラーにおける水平軸に沿う一端側または他端側を該反射ミラーの反射面に直交する方向に移動させ、反射面上における前記水平軸に直交する軸（以下、鉛直軸）を中心として反射ミラーを回転調整可能とする。すなわち、前記鉛直軸を中心として反射ミラーを回転調整することで、スクリーン上の投影画像の位置を左右方向に調整可能とする。
【０００９】
したがって、外力や設置される環境（温度、設置する設置面の形状）等の二次的要因によって、リアプロジェクタの各構成部材（画像投射装置、外装筺体、スクリーン、反射ミラー等）の相対位置が組み立て工程時に調整された相対位置から変化し、スクリーン上の投影画像の表示位置が組み立て工程時に調整された表示位置から上下左右方向にずれた場合であっても、外装筺体外部から第１の調整操作部や第２の調整操作部を操作することで、表示位置のずれを容易に修正できる。
また、第１の調整操作部および第２の調整操作部の双方が設けられているので、二次的要因によって、リアプロジェクタの各構成部材の相対位置が組み立て工程時に調整された相対位置から変化し、スクリーン上の投影画像に歪みが生じた場合であっても、第１の調整操作部および第２の調整操作部を適宜、組み合わせて操作することで、投影画像の歪みを容易に修正できる。
【００１０】
本発明のリアプロジェクタでは、前記反射ミラーは、前記画像光を反射して前記スクリーンに導くミラー本体と、前記ミラー本体の外縁部の少なくとも一部に沿う枠形状を有し、前記外縁部を前面側および背面側から挟持する補強部材とを備えていることが好ましい。
ところで、軸支部、第１の調整操作部、および第２の調整操作部により反射ミラーの姿勢状態を調整する構造を採用した場合には、反射ミラーの調整時において、反射ミラーが歪み、投影画像に歪みが生じる恐れがある。
本発明では、反射ミラーは、ミラー本体の他、補強部材を備える。このことにより、補強部材によりミラー本体の強度を維持でき、反射ミラーの姿勢状態を調整する際においても、ミラー本体の歪みを回避し、投影画像を良好に維持できる。
【００１１】
本発明のリアプロジェクタでは、前記第１の調整操作部は、前記第１の開口部を介して前記外装筺体内外に進退自在とし、前記外装筺体内部に位置する一端側が前記反射ミラーに当接して前記水平軸を中心として前記反射ミラーを所定方向に回転調整可能とする操作部本体と、前記反射ミラーおよび前記外装筺体の間に配設され、前記水平軸を中心として前記反射ミラーを前記所定方向と反対方向に付勢する付勢部材とを備えていることが好ましい。
【００１２】
本発明では、第１の調整操作部は、操作部本体と、付勢部材とを備えているので、以下に示すように、前記水平軸を中心として反射ミラーを回転調整できる。
すなわち、操作部本体を操作して操作部本体を外装筐体内に向けて進行させ、操作部本体の一端側にて反射ミラーを押圧することで、付勢部材の付勢力に抗して、前記水平軸を中心として反射ミラーを所定方向に回転調整できる。
一方、操作部本体を操作して操作部本体を外装筺体外に向けて進行させた場合には、付勢部材の付勢力により、反射ミラーが操作部本体の一端側に当接するまで、前記水平軸を中心として反射ミラーを前記所定方向と反対方向に回転調整できる。
以上のような構成とすれば、操作部本体のみの操作により、水平軸を中心とした２つの回転方向に反射ミラーを容易に調整できる。
また、リアプロジェクタに対して鉛直方向に外力が加わり、外力が第１の調整操作部に加わった場合であっても、外力により一旦、付勢部材が収縮した後、再度、付勢部材が伸張して反射ミラーを操作部本体の一端側に当接し、元の回転位置に反射ミラーを戻すことができる。すなわち、リアプロジェクタに対して鉛直方向に外力が加わった場合であっても、付勢部材にて外力を緩和し、第１の調整操作部の破損を回避できる。
【００１３】
本発明のリアプロジェクタでは、前記外装筺体には、前記第１の開口部および前記第２の開口部のうち少なくともいずれかの開口部を閉塞可能とし、前記外装筺体に対して着脱自在とするカバー部材が取り付けられていることが好ましい。
本発明によれば、外装筺体には、カバー部材が取り付けられているので、スクリーン上の投影画像の表示位置調整を実施する際にのみカバー部材を取り外せば、第１の開口部や第２の開口部を介して第１の調整操作部の一部や第２の調整操作部の一部を常時、露出した状態とすることがない。このため、スクリーン上の投影画像の表示位置調整を実施しない場合に、カバー部材を取り付けておくことで、誤って第１の調整操作部や第２の調整操作部が操作される恐れがない。また、リアプロジェクタの外観を良好に維持できる。
【発明を実施するための最良の形態】
【００１４】
以下、本発明の実施の一形態を図面に基づいて説明する。
〔リアプロジェクタの主な構成〕
図１は、リアプロジェクタ１の概略構成を模式的に示す側面からの断面図である。
リアプロジェクタ１は、図１に示すように、外装筺体２と、画像投射装置としてのプロジェクタユニット３と、制御ユニット４と、反射ミラー５と、スクリーン６とにより大略構成されている。
【００１５】
外装筺体２は、合成樹脂製の筐体であり、図１に示すように、内部にプロジェクタユニット３、制御ユニット４、反射ミラー５、およびスクリーン６を収納配置する。なお、具体的な図示は省略するが、外装筺体２内部には、プロジェクタユニット３、制御ユニット４、反射ミラー５、およびスクリーン６の他、リアプロジェクタ１の各構成部材に電力を供給する電源ユニット、リアプロジェクタ１内部を冷却する冷却ユニット、および音声を出力する音声出力部等が配置される。
この外装筺体２は、図１に示すように、スクリーン支持部２１と、ミラー支持部２２と、リアカバー２３と、ベースプレート２４とを備え、これら各部材２１〜２４がねじ等により組み合わされることで箱形状の筐体として構成される。
【００１６】
スクリーン支持部２１は、図１に示すように、リアプロジェクタ１の前面側（観賞者が位置する側）に配設され、スクリーン６を支持する部分である。このスクリーン支持部２１は、図１に示すように、平面視矩形状の開口部２１１を有する矩形枠状に形成され、スクリーン６の前面側が開口部２１１を介して露出するように開口部２１１周縁部分にてスクリーン６を支持する。
【００１７】
ミラー支持部２２は、図１に示すように、リアプロジェクタ１の上方側でかつ背面側（観賞者が位置する側と反対側）に配設され、反射ミラー５を支持する部分である。このミラー支持部２２は、縦断面略コ字形状を有し、図１に示すように、リアプロジェクタ１の上面側、左右側面側（図１中、紙面に直交する方向に交差する側面側）の一部、および背面側の一部を覆う。また、ミラー支持部２２の背面部分は、上端縁よりも下端縁が後方側（スクリーン支持部２１（スクリーン６）から離間した側）に位置するように傾斜した形状を有している。そして、ミラー支持部２２は、上方側端部がスクリーン支持部２１の上方側端部とねじ等により接続するとともに、下方側端部がリアカバー２３の上方側端部とねじ等により接続する。
なお、ミラー支持部２２の詳細な構造（反射ミラー５の支持構造）については、後述する。
【００１８】
リアカバー２３は、図１に示すように、リアプロジェクタ１の下方側でかつ背面側に配設され、縦断面略コ字形状を有し、リアプロジェクタ１の左右側面側および背面側をミラー支持部２２とともに覆う部分である。
【００１９】
ベースプレート２４は、図１に示すように、リアプロジェクタ１の下方側に配設され、リアプロジェクタ１全体を支持する部分である。このベースプレート２４は、板状に形成され、図１に示すように、リアプロジェクタ１の下面側を覆う。
このベースプレート２４において、板状の上方側端面には、図１に示すように、スクリーン支持部２１およびリアカバー２３と接続するための接続部２４１が立設されている。
そして、ベースプレート２４は、接続部２４１にてスクリーン支持部２１の下方側端部およびリアカバー２３の下方側端部とねじ等により接続するとともに、板状の上方側端面にプロジェクタユニット３および制御ユニット４が載置固定され、リアプロジェクタ１が床や机等の設置面上に設置された場合に、板状の下方側端面が前記設置面に当接し、リアプロジェクタ１全体を支持する。
【００２０】
プロジェクタユニット３は、制御ユニット４から出力された画像信号に基づいて画像光Ｌを形成して反射ミラー５に向けて拡大投射する。このプロジェクタユニット３は、具体的な図示は省略するが、光源（例えば、放電発光型の光源ランプや、ＬＥＤ(Light Emitting Diode)等の固体発光素子等）と、光源から射出された光束を画像信号に基づいて変調して画像光Ｌを形成する光変調装置（例えば、液晶パネル、入射側偏光板および射出側偏光板を備えた液晶ライトバルブ等）と、画像光Ｌを拡大投射する投射レンズ３１（図１）等を備えて構成されている。
【００２１】
制御ユニット４は、具体的な図示は省略するが、例えば、チューナ、ＩＦ回路、音声検波回路、映像検波回路、増幅回路、およびＣＰＵ等を備えて構成され、プロジェクタユニット３を統括的に制御する。また、制御ユニット４は、例えば、リモートコントローラ（図示略）の操作によって選択されたチャンネルに対応する周波数の放送信号を抽出して、画像信号をプロジェクタユニット３に出力するとともに音声信号を音声出力部（図示略）に出力する。
【００２２】
反射ミラー５は、図１に示すように、ミラー支持部２２に支持され、プロジェクタユニット３によって上方側に向けて拡大投射された画像光Ｌをリアプロジェクタ１の前面側（スクリーン６の背面側）に向けて反射する。そして、このような構成により、例えば反射ミラー５を用いない構成と比較して、投射距離の長さ分、プロジェクタユニット３とスクリーン６とを離間する必要がなく、プロジェクタユニット３とスクリーン６とを近接配置でき、リアプロジェクタ１をコンパクトに纏めリアプロジェクタ１の薄型化を実現している。
【００２３】
この反射ミラー５は、一般的なミラーで構成される平面視矩形状のミラー本体５１（図２参照）と、ミラー本体５１の強度を補強する補強部材５２（図２参照）とで構成されている。
補強部材５２は、アルミニウム等の金属材料に板金加工を施すことで形成されたものであり、ミラー本体５１の外縁部に沿うように屈曲形成された平面視矩形枠形状を有するとともに、枠形状の開口面に直交する方向に交差する各端縁が枠形状の開口内側に向けてそれぞれ屈曲形成された断面略コ字形状を有する。そして、補強部材５２は、枠形状の開口部分において、コ字形状の一対の屈曲部分５２１Ａ，５２１Ｂ（図２、図４参照）にてミラー本体５１の外縁部を前面側および背面側から挟持固定する。また、一対の屈曲部分５２１Ａ，５２１Ｂのうち、背面側に位置する屈曲部分５２１Ｂとミラー本体５１の背面側との間には、平面視矩形枠状の弾性部材５２２（図４参照）が介装されている。
【００２４】
また、この補強部材５２において、上方側端部および下方側端部には、反射ミラー５の姿勢調整を実施するための一対の受け部５２３Ａ，５２３Ｂ（図２、図４参照）が形成されている。
これら一対の受け部５２３Ａ，５２３Ｂは、補強部材５２にてミラー本体５１を挟持固定した状態で後述する光路中心点Ｏｐの上方側および下方側にそれぞれ対応する位置に形成され、各板面が前面側および背面側に対向するように補強部材５２の上方側端部および下方側端部からそれぞれ上方側および下方側にそれぞれ突出する板状に形成されている。
また、一対の受け部５２３Ａ，５２３Ｂのうち、下方側に位置する受け部５２３Ｂには、表裏を貫通する挿通孔５２３Ｂ１（図２、図４参照）が形成されている。
【００２５】
そして、以上説明した反射ミラー５は、外装筺体２（ミラー支持部２２）に支持されるとともに、姿勢状態を調整可能に構成されている。
なお、反射ミラー５の姿勢調整構造については、後述する。
【００２６】
スクリーン６は、図１に示すように、スクリーン支持部２１に支持され、反射ミラー５を介して入射した画像光Ｌを背面側から前面側に投影して投影画像を表示する透過型スクリーンで構成されている。このスクリーン６は、具体的な図示は省略するが、背面側に配設されるフレネルレンズシートと、前面側に配設されるレンチキュラーレンズシートとにより構成され、反射ミラー５を介して入射した画像光Ｌを前記フレネルレンズシートにて平行光に変換し、前記平行光を前記レンチキュラーレンズシートにて拡大（拡散）光に変換して、画像光Ｌを背面側から前面側に投影して投影画像を表示する。
【００２７】
〔反射ミラーの姿勢調整構造〕
図２ないし図４は、反射ミラー５の姿勢調整構造を示す図である。具体的に、図２は、反射ミラー５の姿勢調整構造を前面側から見た図である。図３は、図２のＡ−Ａ線断面図である。図４は、図２のＢ−Ｂ線断面図である。
反射ミラー５は、図２ないし図４に示すように、一対の軸支部７Ａ，７Ｂ（前面側から見て右側の軸支部を７Ａとし、左側の軸支部を７Ｂとする。図２、図３）と、第１の調整操作部８（図４）と、一対の第２の調整操作部９（図３）とにより、プロジェクタユニット３に対する姿勢状態を調整可能に構成されている。
なお、一対の第２の調整操作部９は、一対の軸支部７Ａ，７Ｂに対応して設けられているものである。図３では、一対の第２の調整操作部９のうち、軸支部７Ａに対応して設けられた第２の調整操作部のみを図示しているが、軸支部７Ｂに対応して設けられた第２の調整操作部も図３に示す第２の調整操作部９と同様の構成である。
【００２８】
一対の軸支部７Ａ，７Ｂは、所定の水平軸Ｈを中心として反射ミラー５を回転可能に軸支する。これら各軸支部７Ａ，７Ｂは、同様の構成を有し、図２または図３に示すように、回転軸７１と、回転軸ホルダ７２とをそれぞれ備える。
回転軸７１は、図２または図３に示すように、補強部材５２の左右側端部において、水平軸Ｈに交差する位置から柱状軸が水平軸Ｈに沿うように突設された円柱状部材である。ここで、水平軸Ｈは、ミラー本体５１の反射面５１Ａ上において、プロジェクタユニット３から拡大投射された画像光Ｌの光路中心Ｏ（図１）に交差する光路中心点Ｏｐ（ミラー本体５１の略中心位置（重心位置）、図２、図３）を通り、水平方向（図１および図３中、紙面に直交する方向、図２中、左右方向）に延びる軸を意味する。また、光路中心Ｏとは、プロジェクタユニット３から拡大投射された画像光Ｌにおいて、スクリーン６上に投影される投影画像の中心付近を辿る光路を意味する。
【００２９】
回転軸ホルダ７２は、図２または図３に示すように、ブロック状に形成され、回転軸７１の先端部分を挿通可能とする円孔７２１を有し、円孔７２１内に回転軸７１の先端部分を挿通した状態で、回転軸７１（反射ミラー５）を回転可能に軸支する。
この回転軸ホルダ７２において、背面側の端面には、第２の調整操作部９に螺合するねじ孔７２２が形成されている。
【００３０】
第１の調整操作部８は、外装筺体２外部から操作可能に構成され、操作されることで、水平軸Ｈを中心として反射ミラー５を回転調整する。この第１の調整操作部８は、図４に示すように、操作部本体８１と、回転状態維持部８２とを備える。
ここで、操作部本体８１および回転状態維持部８２の構成を説明する前に、ミラー支持部２２の詳細な構造を説明する。
【００３１】
ミラー支持部２２の背面部分において、反射ミラー５の上方側の受け部５２３Ａに対応する位置には、図４に示すように、外装筺体２内外を貫通し、操作部本体８１の一部を露出可能とする第１の開口部としての第１の調整操作用開口部２２１が形成されている。この第１の調整操作用開口部２２１は、図４に示すように、上方側がミラー支持部２２の背面部分における内面側（前面側）よりも外面側（背面側）が開口面積の大きい段付き状に形成され、下方側がミラー支持部２２の背面部分における外面側よりも内面側が開口面積の大きい段付き状に形成されている。
【００３２】
また、ミラー支持部２２の背面部分における内面には、図４に示すように、第１の調整操作用開口部２２１周縁部分に、操作部本体８１に螺合するねじ孔２２２Ａを有する取付部２２２が固定ねじ２２２Ｂにより固定されている。
さらに、ミラー支持部２２には、図４に示すように、第１の調整操作用開口部２２１を閉塞可能とし、該ミラー支持部２２に対して着脱自在とするカバー部材２２３が取り付けられている。このカバー部材２２３は、図４に示すように、下方側端部が第１の調整操作用開口部２２１内部に向けてオフセットしたクランク形状を有する板状に形成されている。
【００３３】
そして、カバー部材２２３をミラー支持部２２に取り付ける際には、以下のように実施する。
すなわち、カバー部材２２３をミラー支持部２２の背面部分に対して傾けた状態でカバー部材２２３の下方側端部を第１の調整操作用開口部２２１内に挿通する。
この後、カバー部材２２３をミラー支持部２２の背面部分に平行にし、カバー部材２２３の下方側端部を第１の調整操作用開口部２２１の下方側の第２段差部２２１Ｂに当接するとともに、カバー部材２２３の上方側を第１の調整操作用開口部２２１の上方側の第１段差部２２１Ａに当接する。
そして、カバー部材２２３を介して固定ねじ２２３Ａをミラー支持部２２に螺合することで、カバー部材２２３がミラー支持部２２に取り付けられる。
なお、カバー部材２２３をミラー支持部２２から取り外す際には、上記と逆の操作を実施する。
【００３４】
また、ミラー支持部２２の背面部分において、反射ミラー５の下方側の受け部５２３Ｂに対応する位置には、図４に示すように、外装筺体２内外を貫通し、回転状態維持部８２の後述する支持ピンを設置可能とする設置用開口部２２４が形成されている。
さらに、ミラー支持部２２の背面部分における内面には、図４に示すように、設置用開口部２２４周縁部分に、前記支持ピンに螺合するねじ孔２２５Ａを有する取付部２２５が固定ねじ２２５Ｂにより固定されている。
さらにまた、ミラー支持部２２には、図４に示すように、設置用開口部２２４を介して前記支持ピンを設置した後、設置用開口部２２４を閉塞するためのカバー部材２２６が取り付けられている。
【００３５】
操作部本体８１は、図４に示すように、回転操作可能とする回転端８１１と、回転端８１１から突出し外周にねじ溝８１２Ａが形成されたピン状部８１２とが一体的に形成されたものである。そして、操作部本体８１は、第１の調整操作用開口部２２１を介して外装筺体２内部に挿通し、ピン状部８１２のねじ溝８１２Ａを取付部２２２のねじ孔２２２Ａに螺合することで取付部２２２に取り付けられる。この状態では、カバー部材２２３をミラー支持部２２から取り外した際に、操作部本体８１の回転端８１１が外装筺体２外部に露出し、操作部本体８１のピン状部８１２が外装筺体２内部に突出して先端部分が反射ミラー５の上方側の受け部５２３Ａに当接する。そして、回転端８１１を回転操作してねじ溝８１２Ａおよびねじ孔２２２Ａの螺合状態を変更することで、操作部本体８１が外装筐体２内外に進退移動する。すなわち、回転端８１１を回転操作して操作部本体８１を外装筐体２内に向けて進行させ、ピン状部８１２の先端部分にて受け部５２３Ａを押圧することで、水平軸Ｈを中心として矢印Ｒ１（図４）方向に反射ミラー５を回転調整可能とする。
【００３６】
回転状態維持部８２は、図４に示すように、支持ピン８２１と、付勢部材としてのコイルばね８２２とを備える。
支持ピン８２１は、図４に示すように、回転操作可能とする回転端８２１Ａと、回転端８２１Ａから突出するピン状部８２１Ｂとが一体的に形成されたものである。
ピン状部８２１Ｂは、反射ミラー５の下方側の受け部５２３Ｂに形成された挿通孔５２３Ｂ１の内径寸法よりも小さい外形寸法を有し、挿通孔５２３Ｂ１に挿通可能とする。また、ピン状部８２１Ｂにおける回転端８２１Ａ近傍の外周には、図４に示すように、ねじ溝８２１Ｂ１が形成されている。そして、支持ピン８２１は、設置用開口部２２４を介して外装筺体２内部に挿通し、ピン状部８２１Ｂのねじ溝８２１Ｂ１を取付部２２５のねじ孔２２５Ａに螺合することで取付部２２５に固定される。この状態では、ピン状部８２１Ｂの先端部分が反射ミラー５の下方側の受け部５２３Ｂに形成された挿通孔５２３Ｂ１に遊嵌状態で挿通した状態となる。すなわち、反射ミラー５は、支持ピン８２１のピン状部８２１Ｂにて支持されつつ、回転調整された際にピン状部８２１Ｂの突出方向に沿って下方側端部の移動が案内される。
コイルばね８２２は、支持ピン８２１のピン状部８２１Ｂが挿通された状態で、一端が取付部２２５に接続し、他端が反射ミラー５の下方側の受け部５２３Ｂに接続し、取付部２２５に対して反射ミラー５の受け部５２３Ｂを矢印Ｒ２（図４）方向に付勢する。
【００３７】
そして、反射ミラー５は、上述した操作部本体８１および回転状態維持部８２により、以下に示すように、水平軸Ｈを中心として回転調整される。
すなわち、操作部本体８１の回転端８１１を回転操作して操作部本体８１を外装筺体２内に向けて進行させ、ピン状部８１２の先端部分にて受け部５２３Ａを押圧することで、反射ミラー５の上方側が前面側に移動し、反射ミラー５の下方側がコイルばね８２２の付勢力に抗して支持ピン８２１のピン状部８２１Ｂに沿って背面側に移動し、水平軸Ｈを中心として矢印Ｒ１（図４）方向に反射ミラー５を回転調整可能とする。
一方、操作部本体８１の回転端８１１を回転操作して操作部本体８１を外装筐体２外に向けて進行させた場合には、反射ミラー５の下方側がコイルばね８２２の付勢力により支持ピン８２１のピン状部８２１Ｂに沿って前面側に移動し、反射ミラー５の上方側（受け部５２３Ａ）がピン状部８１２の先端部分に当接するまで背面側に移動し、水平軸Ｈを中心として矢印Ｒ２（図４）方向に反射ミラー５を回転調整可能とする。
【００３８】
一対の第２の調整操作部９は、外装筺体２外部から操作可能に構成され、操作されることで、ミラー本体５１の反射面５１Ａに直交する方向に一対の軸支部７Ａ，７Ｂをそれぞれ位置調整する。これら各第２の調整操作部９は、同様の構成を有し、図３に示すように、操作部本体９１と、移動規制部９２とを備える。
ここで、操作部本体９１および移動規制部９２の構成を説明する前に、ミラー支持部２２の詳細な構造を説明する。
ミラー支持部２２の背面部分において、一対の軸支部７Ａ，７Ｂに対応する位置には、図３に示すように、外装筺体２内外を貫通し、操作部本体９１の一部を露出可能とする第２の開口部としての第２の調整操作用開口部２２７がそれぞれ形成されている。これら第２の調整操作用開口部２２７は、同様の形状を有し、図３に示すように、開口中心部分に位置する第１段差部２２７Ａ、および第１段差部２２７Ａの外側部分に位置する第２段差部２２７Ｂを有し、開口中心位置から外側に向かって開口面積が大きくなる段付き状に形成されている。
また、第２の調整操作用開口部２２７において、第２段差部２２７Ｂの下方側には、図３に示すように、外装筺体２内外を貫通し、後述するカバー部材を取り付けるためのカバー用開口部２２８が形成されている。このカバー用開口部２２８は、図３に示すように、下方側がミラー支持部２２の背面部分における外面側よりも内面側が開口面積の大きい段付き状に形成されている。
【００３９】
さらに、ミラー支持部２２には、図３に示すように、各第２の調整操作用開口部２２７をそれぞれ閉塞可能とし、該ミラー支持部２２に対して着脱自在とするカバー部材２２９がそれぞれ取り付けられている。これらカバー部材２２９は、同様の形状を有し、図４に示すように、上述したカバー部材２２３と同様に、下方側端部がカバー用開口部２２８内部に向けてオフセットしたクランク形状を有する板状に形成されている。
【００４０】
そして、カバー部材２２９をミラー支持部２２に取り付ける際には、以下のように実施する。
すなわち、カバー部材２２９をミラー支持部２２の背面部分に対して傾けた状態でカバー部材２２９の下方側端部をカバー用開口部２２８内に挿通する。
この後、カバー部材２２９をミラー支持部２２の背面部分に平行にし、カバー部材２２３の下方側端部をカバー用開口部２２８の段差部２２８Ａに当接するとともに、カバー部材２２３の上方側を第２の調整操作用開口部２２７の第２段差部２２７Ｂに当接する。
そして、カバー部材２２９を介して固定ねじ２２９Ａをミラー支持部２２に螺合することで、カバー部材２２９がミラー支持部２２に取り付けられる。
なお、カバー部材２２９をミラー支持部２２から取り外す際には、上記と逆の操作を実施する。
【００４１】
操作部本体９１は、図３に示すように、回転操作可能とする回転端９１１と、回転端９１１から突出するピン状部９１２とが一体的に形成されたものである。
回転端９１１は、第２の調整操作用開口部２２７における第１段差部２２７Ａの内側部分の開口部２２７Ｃ（図３）の内径寸法よりも大きい外径寸法を有するとともに、第１段差部２２７Ａおよび第２段差部２２７Ｂにて形成される開口部２２７Ｄ（図３）の内径寸法よりも小さい外径寸法を有する。
ピン状部９１２は、第２の調整操作用開口部２２７における開口部２２７Ｃの内径寸法よりも小さい外径寸法を有するとともに、先端部分の外周にねじ溝９１２Ａが形成されている。
【００４２】
そして、操作部本体９１は、第２の調整操作用開口部２２７における開口部２２７Ｃを介して外装筺体２内部に挿通し、ピン状部９１２のねじ溝９１２Ａを軸支部７Ａ，７Ｂにおけるねじ孔７２２に螺合することで取り付けられる。この状態では、操作部本体９１の回転端９１１が第２の調整操作用開口部２２７における第１段差部２２７Ａに当接した状態となり、カバー部材２２９をミラー支持部２２から取り外した際に、回転端９１１が外装筺体２外部に露出する。
すなわち、反射ミラー５は、支持ピン８２１のピン状部８２１Ｂ、および軸支部７Ａ，７Ｂを介して一対の第２の調整操作部９の各操作部本体９１にてミラー支持部２２に支持されることとなる。
【００４３】
移動規制部９２は、ピン状部９１２の外周に取り付けられ、回転端９１１との間で第２の調整操作用開口部２２７における開口部２２７Ｃ周縁部分（第１段差部２２７Ａ）を挟持し、操作部本体９１の外装筺体２内外への移動を規制する。
すなわち、回転端９１１を回転操作してねじ溝９１２Ａおよびねじ孔７２２の螺合状態を変更することで、移動規制部９２により操作部本体９１の外装筺体２内外への移動が規制されているため、軸支部７Ａ，７Ｂがミラー本体５１の反射面５１Ａに直交する方向である矢印Ｒ３（図３）方向に進退移動する。
【００４４】
そして、反射ミラー５は、上述した各第２の調整操作部９により、以下に示すように、姿勢状態が調整される。
すなわち、各第２の調整操作部９のうち、前面側から見て右側の第２の調整操作部９における操作部本体９１の回転端９１１を回転操作して軸支部７Ａを矢印Ｒ３方向に進退移動することで、反射ミラー５の前面側から見て右側が前後方向（矢印Ｒ３方向）に移動し、水平軸Ｈに直交する軸（図２中、上下方向に延びる軸、以下、鉛直軸）を中心として反射ミラー５を回転調整可能とする。
同様に、各第２の調整操作部９のうち、前面側から見て左側の第２の調整操作部９における操作部本体９１の回転端９１１を回転操作して軸支部７Ｂを矢印Ｒ３方向に進退移動することで、反射ミラー５の前面側から見て左側が前後方向（矢印Ｒ３方向）に移動し、水平軸Ｈに直交する前記鉛直軸を中心として反射ミラー５を回転調整可能とする。
【００４５】
上述した実施形態によれば、以下の効果がある。
本実施形態では、リアプロジェクタ１は、外装筺体２、プロジェクタユニット３、反射ミラー５、およびスクリーン６の他、水平軸Ｈを中心として反射ミラー５を回転可能に軸支する一対の軸支部７Ａ，７Ｂと、外装筺体２外部から操作可能に構成された第１の調整操作部８と、外装筺体２外部から操作可能に構成された一対の第２の調整操作部９とを備えている。そして、外装筺体２外部から第１の調整操作部８を操作することで、水平軸Ｈを中心として反射ミラー５を回転調整可能とする。すなわち、水平軸Ｈを中心として反射ミラー５を回転調整することで、スクリーン６上の投影画像の位置を上下方向に調整可能とする。また、外装筺体２外部から一対の第２の調整操作部９を操作することで、反射ミラー５の反射面５１Ａに直交する方向に軸支部７Ａ，７Ｂを位置調整可能とする。すなわち、軸支部７Ａ，７Ｂのいずれかの軸支部を反射面５１Ａに直交する方向に位置調整することで、いずれかの軸支部とともに反射ミラー５における前記いずれかの軸支部の配設側を反射面５１Ａに直交する方向（矢印Ｒ３方向）に移動させ、反射面５１Ａ上における水平軸Ｈに直交する前記鉛直軸（図２中、上下方向に延びる軸）を中心として反射ミラー５を回転調整可能とする。すなわち、前記鉛直軸を中心として反射ミラー５を回転調整することで、スクリーン６上の投影画像の位置を左右方向に調整可能とする。
【００４６】
したがって、外力や設置される環境（温度、設置する設置面の形状）等の二次的要因によって、リアプロジェクタ１の各構成部材（プロジェクタユニット３、外装筺体２、スクリーン６、反射ミラー５等）の相対位置が組み立て工程時に調整された相対位置から変化し、スクリーン６上の投影画像の表示位置が組み立て工程時に調整された表示位置から上下左右方向にずれた場合であっても、外装筺体２外部から第１の調整操作部８や一対の第２の調整操作部９を操作することで、表示位置のずれを容易に修正できる。
また、第１の調整操作部８および一対の第２の調整操作部９の双方が設けられているので、二次的要因によって、リアプロジェクタ１の各構成部材の相対位置が組み立て工程時に調整された相対位置から変化し、スクリーン６上の投影画像に歪みが生じた場合であっても、第１の調整操作部８および一対の第２の調整操作部９を適宜、組み合わせて操作することで、投影画像の歪みを容易に修正できる。
【００４７】
ここで、反射ミラー５は、ミラー本体５１の他、補強部材５２を備える。このことにより、補強部材５２によりミラー本体５１の強度を維持でき、軸支部７Ａ，７Ｂ、第１の調整操作部８、および一対の第２の調整操作部９にて反射ミラー５の姿勢状態を調整する際においても、ミラー本体５１の歪みを回避し、投影画像を良好に維持できる。
また、軸支部７Ａ，７Ｂ、第１の調整操作部８、および一対の第２の調整操作部９は、反射面５１Ａ上における光路中心点Ｏｐ（ミラー本体５１の略中心位置（重心位置））を通る水平軸Ｈ上、および反射面５１Ａ上における光路中心点Ｏｐを通り水平軸Ｈに略直交する前記鉛直軸上において、反射ミラー５の姿勢状態を調整する。すなわち、ミラー本体５１の重心位置を通る各軸線上において、軸支部７Ａ，７Ｂ、第１の調整操作部８、および一対の第２の調整操作部９にて反射ミラー５の姿勢状態を調整するので、調整時において、ミラー本体５１の歪みを回避し、投影画像を良好に維持できる。
【００４８】
また、第１の調整操作部８は、操作部本体８１と、コイルばね８２２を有する回転状態維持部８２とを備えている。このことにより、操作部本体８１のみの操作により、水平軸Ｈを中心とした２つの回転方向（矢印Ｒ１，Ｒ２方向）に反射ミラー５を容易に調整できる。また、リアプロジェクタ１に対して鉛直方向に外力が加わり、外力が第１の調整操作部８に加わった場合であっても、外力により一端、コイルばね８２２が収縮した後、再度、コイルばね８２２が伸張して反射ミラー５の受け部５２３Ａを操作部本体８１に当接し、元の回転位置に反射ミラー５を戻すことができる。すなわち、リアプロジェクタ１に対して鉛直方向に外力が加わった場合であっても、コイルばね８２２にて外力を緩和し、第１の調整操作部８の破損を回避できる。
【００４９】
また、外装筺体２（ミラー支持部２２）には、カバー部材２２３，２２９が取り付けられているので、スクリーン６上の投影画像の表示位置調整を実施する際のみのカバー部材２２３，２２９を取り外せば、第１の調整操作用開口部２２１や第２の調整操作用開口部２２７を介して第１の調整操作部８の回転端８１１や一対の第２の調整操作部９の各回転端９１１を常時、露出した状態とすることがない。このため、スクリーン６上の投影画像の表示位置調整を実施しない場合に、カバー部材２２３，２２９を取り付けておくことで、誤って第１の調整操作部８や一対の第２の調整操作部９が操作される恐れがない。また、リアプロジェクタ１の外観を良好に維持できる。
【００５０】
なお、本発明は前述の実施形態に限定されるものではなく、本発明の目的を達成できる範囲での変形、改良等は本発明に含まれるものである。
前記実施形態において、軸支部７Ａ，７Ｂ、第１の調整操作部８、および一対の第２の調整操作部９の構成は、前記実施形態で説明した構成に限らない。
すなわち、第１の調整操作部８としては、以下の構成を採用してもよい。
例えば、回転状態維持部８２を省略し、操作部本体８１と受け部５２３Ａとが螺合する構成とし、操作部本体８１を操作して螺合状態を変更することで、水平軸Ｈを中心として反射ミラー５を回転調整可能とする構成としてもよい。
また、例えば、コイルばね８２２を操作部本体８１側に設けた構成、すなわち、一端が取付部２２２に接続し、他端が受け部５２３Ａに接続し、取付部２２２に対して受け部５２３Ｂを矢印Ｒ１方向と反対方向に付勢する構成としてもよい。この際、回転状態維持部８２を省略しても構わない。
さらに、例えば、第１の調整操作部８としては、反射面５１Ａ上における光路中心点Ｏｐを通り水平軸Ｈに略直交する前記鉛直軸上において、反射ミラー５を回転調整可能に構成されていたが、水平軸Ｈを中心として反射ミラー５を回転調整可能とすれば、前記鉛直軸上に限らず、その他の位置に設けた構成を採用しても構わない。
【００５１】
また、第２の調整操作部９としては、以下の構成を採用してもよい。
例えば、前記実施形態では、第２の調整操作部９を２つ設けた構成を採用していたが、これに限らず、一対の第２の調整操作部９のうちいずれか一方の第２の調整操作部の機能として軸支部を支持するのみの構成とし、一対の第２の調整操作部９のうちいずれか他方の第２の調整操作部の機能として軸支部を位置調整可能とする構成としても構わない。
また、例えば、前記実施形態では、一対の第２の調整操作部９は、ミラー支持部２２の背面部分に設けた構成を説明したが、その配設位置は特に限定されず、例えば、ミラー支持部２２の側面部分（図１中、紙面に直交する方向に交差する側面）に設けた構成を採用しても構わない。
【００５２】
前記実施形態では、補強部材５２は、ミラー本体５１の外縁部全体に沿って枠状に構成されていたが、ミラー本体５１の外縁部の少なくとも一部に沿って全体として枠状に構成されていればよく、２体以上で構成しても構わない。
前記実施形態では、第１の調整操作用開口部２２１および第２の調整操作用開口部２２７をそれぞれ閉塞可能とするカバー部材２２３，２２９を設けていたが、これに限らず、例えば、第１の調整操作用開口部２２１および第２の調整操作用開口部２２７を１つのカバー部材にて閉塞可能とする構成を採用しても構わない。
【００５３】
前記各実施形態では、リアプロジェクタ１が制御ユニット４を備えた構成を説明したが、これに限らず、外部装置から入力した画像信号に基づく画像のみを表示するリアプロジェクションモニタとして構成しても構わない。また、音声出力部を外装筺体２の外部に別体に構成することもできるし、音声出力部を備えずに画像の表示のみを行う構成を採用することもできる。
【００５４】
前記各実施形態において、プロジェクタユニット３を構成する光変調装置としては、透過型の液晶ライトバルブや反射型の液晶ライトバルブの他、ディジタル・マイクロミラー・デバイス（テキサス・インスツルメント社の商標）を採用してもよい。
【００５５】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想及び目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００５６】
本発明は、スクリーン上の投影画像の表示位置を完成品の状態で容易に実施できるため、ホームシアタ等に用いられるリアプロジェクタとして利用できる。
【図面の簡単な説明】
【００５７】
【図１】本実施形態におけるリアプロジェクタの概略構成を模式的に示す側面からの断面図。
【図２】前記実施形態における反射ミラーの姿勢調整構造を示す図。
【図３】前記実施形態における反射ミラーの姿勢調整構造を示す図。
【図４】前記実施形態における反射ミラーの姿勢調整構造を示す図。
【符号の説明】
【００５８】
１・・・リアプロジェクタ、２・・・外装筺体、３・・・プロジェクタユニット、５・・・反射ミラー、６・・・スクリーン、７Ａ，７Ｂ・・・軸支部、８・・・第１の調整操作部、９・・・第２の調整操作部、５１・・・ミラー本体、５１Ａ・・・反射面、５２・・・補強部材、８１・・・操作部本体、８２２・・・コイルばね、２２１・・・第１の調整操作用開口部（第１の開口部）、２２３，２２９・・・カバー部材、２２７・・・第２の調整操作用開口部（第２の開口部）、Ｈ・・・水平軸、Ｌ・・・画像光、Ｏ・・・光路中心、Ｏｐ・・・光路中心点。
【図１】
2008129271.tif 000003
【図２】
2008129271.tif 000004
【図３】
2008129271.tif 000005
【図４】
2008129271.tif 000006